(57)【特許請求の範囲】
【請求項１】
Ｘ線管およびコリメータを含む照射部と、
一方から他方に向けて増加するように前記照射部からの距離が印字された目盛帯および前記目盛帯の他方側を保持して巻き取る巻取り機構を有する巻尺と、を備え、
前記照射部は、前記目盛帯の一方側を固定する目盛帯固定部と、前記巻取り機構を固定する巻取り機構固定部とを有する、Ｘ線撮影装置。
【請求項２】
前記目盛帯を折り返すように前記目盛帯に係合する折返部材をさらに備え、
前記折返部材は、前記巻取り機構から前記目盛帯が引き出される際に前記目盛帯の引出量に応じて前記目盛帯の折返し部分の位置が移動されるように、前記目盛帯に係合する構造を有している、請求項１に記載のＸ線撮影装置。
【請求項３】
前記折返部材は、前記目盛帯を通過させる挿通係合部を有し、前記挿通係合部に挿通した前記目盛帯を前記逆方向に折り返すように構成されている、請求項２に記載のＸ線撮影装置。
【請求項４】
前記折返部材は、一端側の位置で前記目盛帯を折り返すように構成されるとともに、他端側の位置に、使用者が前記折返部材を手で把持するための把持部分を有する、請求項２に記載のＸ線撮影装置。
【請求項５】
前記把持部分は、使用者の手の指を挿入するための指挿入部を有する、請求項４に記載のＸ線撮影装置。
【請求項６】
前記折返部材は、折り返された前記目盛帯の目盛読み取り位置を示す読取位置標識部を有する、請求項２に記載のＸ線撮影装置。
【請求項７】
前記目盛帯は、前記読取位置標識部の目盛読み取り位置と前記折返部材の先端位置との間の距離分だけ前記目盛帯の原点位置をオフセットさせた目盛位置で、前記目盛帯固定部に固定されている、請求項６に記載のＸ線撮影装置。
【請求項８】
前記目盛帯は、前記目盛帯固定部の配置位置と前記Ｘ線管の焦点位置との間の距離分だけ前記目盛帯の原点位置を前記焦点位置側にオフセットさせた目盛位置で、前記目盛帯固定部に固定されている、請求項１に記載のＸ線撮影装置。
【請求項９】
前記目盛帯固定部は、前記目盛帯を挟み込む一対の挟持部材と、前記挟持部材を締結する締結部材とを有する、請求項１に記載のＸ線撮影装置。
【発明の詳細な説明】
【技術分野】
【０００１】
この発明は、Ｘ線撮影装置に関し、特に、Ｘ線照射部からの距離を測るための巻尺を備えたＸ線撮影装置に関する。
【背景技術】
【０００２】
従来、Ｘ線照射部からの距離を測るための巻尺を備えたＸ線撮影装置が知られている。このようなＸ線撮影装置は、たとえば、実用新案登録第３１７７８３８号公報に開示されている。【０００３】
上記実用新案登録第３１７７８３８号公報に開示されているＸ線撮影装置は、医用Ｘ線撮影装置であって、被検体にＸ線を照射するＸ線管とコリメータとを含む照射部を備え、コリメータの外側面部に巻尺が取り付けられている。Ｘ線撮影の際には、巻尺を用いてＸ線管の焦点位置から被写体（被検者）の体表面までの距離、Ｘ線管の焦点位置から被検者の関心部位（Ｘ線像を撮りたい部位）までの距離、および、Ｘ線管の焦点位置からＸ線検出器表面までの距離、などの各種距離が測定される。被写体（被検者）の体表面までの距離は、Ｘ線の照射時間や管電流値などの撮影条件の設定に用いられ、関心部位までの距離およびＸ線検出器表面までの距離は、撮影されるＸ線像の拡大率の算出などに用いられる。Ｘ線撮影装置の装置構成にもよるが、コリメータから被検者（またはＸ線検出器）までの距離は、長いものでたとえば２ｍ近くにもなる。
【先行技術文献】
【特許文献】
【０００４】
【特許文献１】実用新案登録第３１７７８３８号公報
【発明の概要】
【発明が解決しようとする課題】
【０００５】
上記実用新案登録第３１７７８３８号公報のＸ線撮影装置では、コリメータに取り付けられた巻尺の目盛帯を引き出して距離を計測する際、引き出した目盛帯の先端（すなわち、手元側）には目盛の原点があり、読み取るべき目盛位置は巻尺の本体部分（コリメータ側）に位置することになる。このため、読み取り位置が使用者から離れてしまい測定値を読み取るのが困難であるという問題点がある。【０００６】
一方で、目盛帯の先端をコリメータに固定し、巻尺の本体部分をコリメータに着脱可能とすれば、使用者が、コリメータから巻尺の本体部分を取り外し、測定対象部位まで移動することによって、手元で距離の測定値を読み取ることができる。しかし、そのような構成では、測定が終わった後、巻尺の本体部分から手を放しても、自重により、巻尺の本体部分がコリメータ部分に戻らず、あるいは、巻尺が不用意な方向に飛び跳ねて、危険な状況を招く恐れがある。従って、巻尺の本体部分を固定するために、再度コリメータの位置まで戻らなければならないという問題があった。【０００７】
また、これらの問題を解決するために超音波距離計や、レーザ距離計を設けた装置も存在するが、異物による反射などにより、正確に測定を行うことができない場合もあるため、確実に距離を測定できる巻尺が、なお要求されている。【０００８】
この発明は、上記のような課題を解決するためになされたものであり、この発明の１つの目的は、容易かつ確実に距離の測定を行うことが可能なＸ線撮影装置を提供することである。
【課題を解決するための手段】
【０００９】
上記目的を達成するために、この発明の一の局面におけるＸ線撮影装置は、Ｘ線管およびコリメータを含む照射部と、一方から他方に向けて増加するように照射部からの距離が印字された目盛帯および目盛帯の他方側を保持して巻き取る巻取り機構を有する巻尺と、を備え、照射部は、目盛帯の一方側を固定する目盛帯固定部と、巻取り機構を固定する巻取り機構固定部とを有する。【００１０】
この発明の一の局面によるＸ線撮影装置では、上記のように、目盛帯の一方側を固定する目盛帯固定部と、巻取り機構を固定する巻取り機構固定部とを照射部に設けることによって、距離を計測する際、使用者は、目盛帯のうち、目盛帯固定部に固定された一端側と巻取り機構に保持された他端側との間の中間位置で、目盛帯を引き出して距離測定を行うことができる。この場合には、目盛帯の原点がある一方側が照射部（目盛帯固定部）に固定され、読み取るべき目盛位置が被検者の手元側に配置されるので、使用者は、測定値を手元側の位置で容易に読み取ることができる。また、測定位置まで目盛帯を引き出すことができるので、超音波方式やレーザ方式を採用する場合のように異物による反射などの影響を受けることなく、確実に距離を測定することができる。これらにより、容易かつ確実に距離の測定を行うことができる。さらに、巻取り機構を照射部（巻取り機構固定部）に固定しておくことができるので、使用者が引き出した目盛帯を手放せば、目盛帯を自動的に巻取り機構に収納することができる。したがって、本発明によれば、使用者が巻尺の本体部分を持って移動する場合と異なり、巻尺の本体部分を固定するために再度照射部の位置まで戻る必要もない。【００１１】
上記一の局面によるＸ線撮影装置において、好ましくは、目盛帯を折り返すように目盛帯に係合する折返部材をさらに備え、折返部材は、巻取り機構から目盛帯が引き出される際に目盛帯の引出量に応じて目盛帯の折返し部分の位置が移動されるように、目盛帯に係合する構造を有している。このように構成すれば、折返部材によって、目盛帯の一端側（目盛帯固定部）と他端側（巻取り機構）との間の中間位置を折り返すことができ、使用者は、折返部材を持って引き出すだけで、目盛帯の折返し部分を測定対象（被検者やＸ線検出器）まで容易に引き出すことができる。【００１２】
この場合、好ましくは、折返部材は、目盛帯を通過させる挿通係合部を有し、挿通係合部に挿通した目盛帯を逆方向に折り返すように構成されている。このように構成すれば、たとえば折返部材を目盛帯の折返し部分に引っ掛ける（係合させる）場合と異なり係合状態が解除されることが抑制されるので、簡素な構成で、目盛帯との係合状態を確保しながら目盛帯を折り返すことができる。【００１３】
上記折返部材を備える構成において、好ましくは、折返部材は、一端側の位置で目盛帯を折り返すように構成されるとともに、他端側の位置に、使用者が折返部材を手で把持するための把持部分を有する。このように構成すれば、折返部材を測定対象（被検者やＸ線検出器）まで容易に引き出すことができるとともに、他端側の把持部分を把持した状態でも一端側の目盛帯が使用者の手に覆われることがないので、目盛帯の測定値を確実に読み取ることができる。【００１４】
この場合、好ましくは、把持部分は、使用者の手の指を挿入するための指挿入部を有する。このように構成すれば、使用者が指挿入部に指を挿入して折返部材を把持することができるので、把持部分を小型にしても、容易かつ確実に折返部材を把持して引き出すことができる。【００１５】
上記折返部材を備える構成において、好ましくは、折返部材は、折り返された目盛帯の目盛読み取り位置を示す読取位置標識部を有する。このように構成すれば、目盛読み取り位置がばらつくことがなく、読取位置標識部に示された目盛読み取り位置で測定値を正確に読み取ることができる。【００１６】
この場合、好ましくは、目盛帯は、読取位置標識部の目盛読み取り位置と折返部材の先端位置との間の距離分だけ目盛帯の原点位置をオフセットさせた目盛位置で、目盛帯固定部に固定されている。このように構成すれば、読取位置標識部の目盛読み取り位置で測定値を読み取るだけで折返部材の先端位置までの距離を得ることができる。したがって、使用者は、引き出した折返部材の先端部分を測定対象（たとえば被検者）に接触させて読取位置標識部に示された測定値を読み取ればよいので、距離測定をさらに容易化することができる。【００１７】
上記一の局面によるＸ線撮影装置において、好ましくは、目盛帯は、目盛帯固定部の配置位置とＸ線管の焦点位置との間の距離分だけ目盛帯の原点位置を焦点位置側にオフセットさせた目盛位置で、目盛帯固定部に固定されている。このように構成すれば、目盛帯固定部とＸ線管の焦点位置との間の距離分を測定値に加算する計算を行うことなく、Ｘ線管の焦点位置から測定対象（被検者やＸ線検出器）までの距離を直接測定することができる。ここで、目盛帯固定部の配置位置とＸ線管の焦点位置との間の距離はＸ線撮影装置の装置構成によって異なる場合があるため、たとえばオフセット目盛を目盛帯に設けるような構成の場合、Ｘ線撮影装置のバリエーション（製品ラインアップ）毎に異なるオフセット目盛を設けた巻尺を用意する必要がある。これに対して、本発明によれば、目盛帯固定部が固定する目盛位置を目盛帯固定部と焦点位置との間の距離に応じてずらすだけで、Ｘ線撮影装置の複数のバリエーションにも対応することができる。【００１８】
上記一の局面によるＸ線撮影装置において、好ましくは、目盛帯固定部は、目盛帯を挟み込む一対の挟持部材と、挟持部材を締結する締結部材とを有する。このように構成すれば、簡単な構成で目盛帯を固定することができるとともに、固定を解除して目盛帯の固定箇所（目盛帯固定部が固定する目盛位置）を調整することも容易に行なうことができる。
【発明の効果】
【００１９】
上記のように、本発明によれば、容易かつ確実に距離の測定を行うことができる。
【図面の簡単な説明】
【００２０】
【図１】本発明の一実施形態によるＸ線撮影装置の全体構成を示した模式図である。
【図２】本発明の一実施形態によるＸ線撮影装置の照射部およびハンドルを模式的に示した斜視図である。
【図３】本発明の一実施形態によるＸ線撮影装置のハンドルおよび目盛帯を示した図である。
【図４】本発明の一実施形態によるＸ線撮影装置のハンドルを示した模式的な斜視図である。
【図５】本発明の一実施形態によるＸ線撮影装置の目盛帯の固定位置を説明するための模式図である。
【図６】本発明の一実施形態によるＸ線撮影装置の照射部の変形例を示した模式的な斜視図である。
【発明を実施するための形態】
【００２１】
以下、本発明を具体化した実施形態を図面に基づいて説明する。
【００２２】
まず、図１〜図５を参照して、本発明の一実施形態によるＸ線撮影装置１００の全体構成について説明する。
【００２３】
図１に示すように、本実施形態によるＸ線撮影装置１００は、支持機構４によって支持された天井吊り下げ型の照射部１と、照射部１と対向するように撮影台５に設けられた検出器２とを備える。また、Ｘ線撮影装置１００は、目盛帯３１と目盛帯３１を巻取収容する本体部３２とを有する測長用の巻尺３を備えている。
【００２４】
Ｘ線撮影装置１００は、医用Ｘ線撮影装置であり、上下方向に対向する照射部１と検出器２とによって、撮影台５に横臥された被検者Ｓを撮影するように構成されている。具体的には、撮影台５の上方に配置された照射部１から照射され、被検者Ｓを透過したＸ線を検出器２により受像して、Ｘ線画像を撮影するように構成されている。検出器２は、たとえばＦＰＤ（フラットパネルディテクタ）などからなる。Ｘ線撮影装置１００の装置構成としては、照射部１と検出器２とを水平方向に対向させ、直立状態の被検者Ｓを撮像する構成であってもよい。
【００２５】
照射部１は、Ｘ線を発生させるＸ線管１１と、Ｘ線管１１のＸ線照射方向（ここでは、下方）の前面に設けられたコリメータ１２とを含む。また、照射部１には上記の巻尺３が設けられているとともに、照射部１は、巻尺３の目盛帯３１を固定する目盛帯固定部１３と、巻尺３の本体部３２を固定する本体固定部１４とを含んでいる。なお、本体固定部１４は、本発明の「巻取り機構固定部」の一例である。
【００２６】
Ｘ線管１１は、陰極から電子ビームを陽極ターゲットに照射して、Ｘ線を発生させる。Ｘ線管１１から発生するＸ線は、下方（検出器２側）に向けて焦点位置Ｐ１を通る放射状に出射される。コリメータ１２は、図１および図２に示すように、Ｘ線の照射野限定器（絞り装置）であり、矩形箱状の筐体１２ａに内蔵された図示しない絞り機構によってＸ線の照射範囲を制限した上で、照射方向前面（下方）の開口１２ｂ（図２参照）からＸ線を照射させる。
【００２７】
巻尺３は、照射部１のうち、コリメータ１２の筐体１２ａの外側面に取り付けられている。具体的には、巻尺３の本体部３２が、筐体１２ａの側面に配置された本体固定部１４に、図示しない保持具や締結部材などの固定手段によって固定的に取り付けられている。目盛帯３１は、金属または樹脂等からなり、目盛帯固定部１３側の先端を原点（０点）とする目盛３１ａ（図３参照）を有する。すなわち、図２に示すように、目盛帯３１には、一方（目盛帯固定部１３側）から他方（本体部３２側）に向けて増加するように、照射部１からの距離（目盛３１ａ、図３参照）が印字されている。また、本体部３２は、目盛帯３１を巻き取り収納するケース３２ａと、目盛帯３１の他方側を保持して巻き取る巻取り機構３２ｂとを含んでいる。巻取り機構３２ｂはケース３２ａの内部に収納されており、巻取り機構３２ｂは、ケース３２ａを介して、本体固定部１４に固定されている。また、巻取り機構３２ｂは、たとえば目盛帯３１の他方端と接続されたゼンマイバネ（図示せず）などの巻取り手段により、目盛帯３１をケース３２ａの内部に向かう巻き取り方向に引っ張り付勢するように構成されている。この巻取り機構３２ｂの付勢力により、巻尺３は、本体部３２から引き出された目盛帯３１を自動的に巻き取るように構成されている。
【００２８】
図１に示すように、巻尺３は、Ｘ線管１１の焦点位置Ｐ１から被写体（被検者Ｓ）の体表面までの距離Ｄ１、焦点位置Ｐ１から被検者Ｓの関心部位（Ｘ線画像を撮りたい部位）までの距離Ｄ２、および、焦点位置Ｐ１から検出器２の表面（検出面）までの距離Ｄ３などの各種距離を測定するために設けられている。被検者Ｓの体表面までの距離Ｄ１は、Ｘ線の照射時間やＸ線管１１に供給する管電流値などの撮影条件の設定に用いられ、関心部位までの距離Ｄ２および検出器２表面までの距離Ｄ３は、撮影されるＸ線画像の拡大率（Ｄ２／Ｄ３）の算出などに用いられる。
【００２９】
図２に示すように、巻尺３の目盛帯３１は、目盛帯３１の一方側が目盛帯固定部１３により固定されるとともに、目盛帯３１の他方側を収納する本体部３２が本体固定部１４により固定されることにより、目盛帯固定部１３と本体部３１（本体固定部１４）との間の中間位置において、目盛帯３１の引き出し方向Ａとは逆方向Ｂに折り返される折返し部分３３を有する。また、本実施形態では、折返し部分３３において目盛帯３１を折り返すために、ハンドル６が設けられている。目盛帯３１は、折返し部分３３（ハンドル６）を引き出すことにより、長さ測定が行われるように構成されている。これにより、巻尺３は、目盛３１ａの原点側である先端側が照射部１（コリメータ１２）側に位置し、測定時の目盛３１ａの読み取り位置が折返し部分３３側に位置するように構成されている。なお、ハンドル６は、本発明の「折返部材」の一例である。
【００３０】
より具体的には、目盛帯３１は、本体部３２からＡ方向に引き出された後、本体部３２と先端との間で逆方向（Ｂ方向）に折り返され、先端側がコリメータ１２の筐体１２ａに設けられた目盛帯固定部１３によって固定されている。目盛帯固定部１３は、目盛帯３１を挟み込む一対の柱状の挟持部材１３ａと、挟持部材１３ａを締結するボルトなどの締結部材１３ｂとを有する。一対の挟持部材１３ａの間に目盛帯３１が配置された状態で、締結部材１３ｂの締め付けによって一対の挟持部材１３ａが目盛帯３１を挟み込むことにより、目盛帯３１が固定される。なお、締結部材１３ｂを弛めれば目盛帯３１の固定が解除され、目盛帯３１の固定位置を移動（調節）することができる。目盛帯３１の固定位置については、後述する。
【００３１】
ハンドル６は、樹脂または金属からなるとともに、図２〜図４に示すように、概略で略矩形の平板状形状（平坦で厚みが一定の薄い形状）を有している。ハンドル６は、目盛帯３１を折り返すように目盛帯３１に係合している。そして、ハンドル６は、巻取り機構３２ｂから目盛帯３１が引き出される際に目盛帯３１の引出量に応じて折返し部分３３の位置が移動されるように、目盛帯３１に係合する構造を有している。ハンドル６には、目盛帯３１を通過させる挿通係合孔部６１と、把持部分６２と、読取位置標識部６３とが一体形成されている。挿通係合孔部６１はハンドル６の一端側（照射部１側）に配置され、把持部分６２はハンドル６の他端側（測定対象がある先端側）に配置されている。読取位置標識部６３は、挿通係合孔部６１とハンドル６の一端側端面との間の平坦面部分に配置されている。なお、挿通係合孔部６１は、本発明の「挿通係合部」の一例である。
【００３２】
挿通係合孔部６１は、目盛帯３１の幅に対応した大きさに形成された角丸形状の貫通孔である。ハンドル６は、挿通係合孔部６１に挿通した目盛帯３１を逆方向に折り返すように構成されている。すなわち、図２に示すように、本体部３２からＡ方向に引き出された目盛帯３１は、ハンドル６の挿通係合孔部６１に裏面側から挿通され、正面側から出てＢ方向に折り返された後、コリメータ１２の目盛帯固定部１３に固定されている。このような構造により、ハンドル６を把持してＡ方向に引っ張ると、目盛帯３１が本体部３２から引き出されながら挿通係合孔部６１を通過し、目盛帯３１の引出量分だけ折返し部分３３（ハンドル６）の位置がＡ方向に移動する。引き出しの際の摩擦低減のため、挿通係合孔部６１（貫通孔）の内側面は、丸み面取りなどにより角部が無いように形成されている。
【００３３】
ハンドル６の他端側の把持部分６２は、使用者がハンドル６を手で把持するために設けられている。把持部分６２には、図３および図４に示すように、使用者の手の指を挿入するための指挿入孔部６４が形成されている。指挿入孔部６４は、角丸形状の貫通孔からなり、使用者が指挿入孔部６４内に手指を挿入することにより、使用者の手指をハンドル６に係合させるものである。指挿入孔部６４内に手指を挿入し易いように、指挿入孔部６４（貫通孔）の内側面は、丸み面取りなどにより角部が無いように形成されている。なお、指挿入孔部６４は、本発明の「指挿入部」の一例である。
【００３４】
読取位置標識部６３は、図３に示すように、折り返された目盛帯３１の目盛読み取り位置Ｍを示す機能を有する。読取位置標識部６３は、挿通係合孔部６１（貫通孔）とハンドル６の一端側端面との間の肉厚に相当する平坦面部分（図４参照）に配置され、目盛帯３１の両側に位置するように一対設けられている。読取位置標識部６３は、ハンドル６の表面側に付された矢印状（三角形状）のマークからなり、シール貼付、印画、刻印などの方法によりハンドル６に形成される。巻尺３は、この読取位置標識部６３を目印として、読取位置標識部６３が指し示す目盛読み取り位置Ｍの目盛が計測値として読み取られるように構成されている。
【００３５】
次に、目盛帯固定部１３による目盛帯３１の固定位置について説明する。本実施形態では、目盛帯３１は、図５に示すように、目盛帯固定部１３の配置位置Ｐ２とＸ線管１１の焦点位置Ｐ１との間の距離Ｄａ分だけ目盛帯３１の原点位置を焦点位置Ｐ１側にオフセットさせた目盛位置で、目盛帯固定部１３に固定されている。また、目盛帯３１は、読取位置標識部６３（図３参照）の目盛読み取り位置Ｍとハンドル６の先端（他端）位置Ｐ３との間の距離Ｄｂ分だけ目盛帯３１の原点位置をさらにオフセットさせた目盛位置で、目盛帯固定部１３に固定されている。以下、これらについて詳しく説明する。
【００３６】
図１に示した通り、巻尺３は、Ｘ線管１１の焦点位置Ｐ１からの各種距離Ｄ１、Ｄ２およびＤ３を測定するために設けられている。ここで、図５に示すように、焦点位置Ｐ１から測定対象Ｃ（たとえば距離Ｄ１の測定の場合には、被検者Ｓの体表面）までの距離をＤ０とする。距離Ｄ０は、目盛帯固定部１３の配置位置Ｐ２とＸ線管１１の焦点位置Ｐ１との間の距離Ｄａと、目盛帯固定部１３から読取位置標識部６３の目盛読み取り位置Ｍとの間の距離Ｄｘと、読取位置標識部６３の目盛読み取り位置Ｍとハンドル６の先端（他端）位置Ｐ３との間の距離Ｄｂとから構成される。
【００３７】
距離Ｄ０を構成する各距離Ｄａ、ＤｘおよびＤｂのうち、距離Ｄａは、Ｘ線管１１の焦点位置Ｐ１と目盛帯固定部１３の配置位置Ｐ２とから定まる装置設計上の固定値である。また、距離Ｄｂは、ハンドル６の寸法により定まる装置設計上の固定値である。そして、ハンドル６を引っ張り目盛帯３１を引き出すことにより変化する実質的な測定値は、距離Ｄｘとなる。そこで、本実施形態では、目盛帯３１の原点位置（目盛の０点位置）が、距離Ｄａおよび距離Ｄｂの分だけ予め焦点位置Ｐ１側にずらされた（オフセットされた）状態で、目盛帯３１が目盛帯固定部１３に固定されている。つまり、目盛帯３１は、目盛３１ａ（図３参照）の読みが（Ｄａ＋Ｄｂ）の位置で、目盛帯固定部１３に固定されている。この結果、ハンドル６（折返し部分３３）を距離Ｄｘだけ引き出してハンドル６の先端（他端）を測定対象Ｃに接触させた状態で、目盛読み取り位置Ｍ（読取位置標識部６３）における目盛３１ａを読めば、得られる測定値は（Ｄａ＋Ｄｂ）＋Ｄｘ＝距離Ｄ０となる。
【００３８】
このように、使用者は、ハンドル６の指挿入孔部６４に手指を挿入してハンドル６（折返し部分３３）を引き出し、ハンドル６の先端（他端）を測定対象Ｃに接触させた状態で目盛読み取り位置Ｍの目盛３１ａを読むだけで、Ｘ線管１１の焦点位置Ｐ１から測定対象Ｃまでの距離Ｄ０を測定値として得ることができる。なお、実際には、Ｘ線撮影装置１００の機種に応じて、設計値としての距離Ｄａの大きさは異なる場合がある。その場合でも、本実施形態では、目盛帯固定部１３が挟み込む目盛帯３１の固定位置を自由に調節することができるので、それぞれの機種に応じたオフセット値（目盛の読み）となる位置で、目盛帯３１を目盛帯固定部１３に固定すればよい。なお、図５では、目盛帯３１の固定後、余った先端側部分（図５の破線部）を除去した例を示している。
【００３９】
本実施形態では、以下のような効果を得ることができる。
【００４０】
本実施形態では、上記のように、目盛帯３１の一方側を固定する目盛帯固定部１３と、巻取り機構３２ｂを固定する本体固定部１４とを照射部１に設けることによって、距離を計測する際、使用者は、目盛帯３１のうち、目盛帯固定部１３に固定された一端側と巻取り機構３２ｂに保持された他端側との間の中間位置（折返し部分３３）で、目盛帯３１を引き出して距離測定を行うことができる。この場合には、目盛帯３１の原点がある一方側が照射部１（目盛帯固定部１３）に固定され、目盛読み取り位置Ｍが被検者の手元側に配置されるので、使用者は、測定値を手元側の位置で容易に読み取ることができる。また、測定位置まで目盛帯３１を引き出すことができるので、超音波方式やレーザ方式を採用する場合のように異物による反射などの影響を受けることなく、確実に距離を測定することができる。これらにより、容易かつ確実に距離の測定を行うことができる。さらに、巻取り機構３２ｂ（本体部３２）を照射部１（本体固定部１４）に固定しておくことができるので、使用者が引き出した目盛帯３１を手放せば、目盛帯３１を自動的に巻取り機構３２ｂに収納することができる。したがって、本実施形態では、使用者が巻尺の本体部分を持って移動する場合と異なり、巻尺の本体部分を固定するために再度照射部１の位置まで戻る必要もない。
【００４１】
また、本実施形態では、上記のように、目盛帯３１を折り返すハンドル６を設け、巻取り機構３２ｂから目盛帯３１が引き出される際に目盛帯３１の引出量に応じて折返し部分３３の位置が移動されるように、目盛帯３１に係合する構造をハンドル６に設ける。これにより、使用者は、ハンドル６を持って引き出すだけで、目盛帯３１の折返し部分３３を測定対象Ｃ（被検者やＸ線検出器）まで容易に引き出すことができる。
【００４２】
また、本実施形態では、上記のように、ハンドル６に目盛帯３１を通過させる挿通係合孔部６１を設けるとともに、挿通係合孔部６１に挿通した目盛帯３１を逆方向Ｂに折り返すようにハンドル６を構成する。これにより、ハンドル６と目盛帯３１との係合状態が解除されることがないので、簡素な構成で、目盛帯３１との係合状態を確保しながら目盛帯３１を折り返すことができる。
【００４３】
また、本実施形態では、上記のように、一端側（照射部１側）の位置で目盛帯３１を折り返すようにハンドル６を構成するとともに、ハンドル６の他端側（測定対象側）の位置に、使用者がハンドル６を手で把持するための把持部分６２を設ける。これにより、ハンドル６を測定対象Ｃ（被検者Ｓや検出器２）まで容易に引き出すことができるとともに、他端側の把持部分６２を把持した状態でも一端側の目盛帯３１が使用者の手に覆われることがないので、目盛帯３１の測定値を確実に読み取ることができる。
【００４４】
また、本実施形態では、上記のように、把持部分６２に、使用者の手の指を挿入するための指挿入孔部６４を設ける。これにより、使用者が指挿入孔部６４に指を挿入してハンドル６を把持することができるので、把持部分６２を小型にしても、容易かつ確実にハンドル６を把持して引き出すことができる。
【００４５】
また、本実施形態では、上記のように、ハンドル６に、目盛帯３１の目盛読み取り位置Ｍを示す読取位置標識部６３を設ける。これにより、目盛読み取り位置Ｍがばらつくことがなく測定値を正確に読み取ることができる。
【００４６】
また、本実施形態では、上記のように、目盛読み取り位置Ｍとハンドル６の先端位置Ｐ３との間の距離Ｄｂ分だけ目盛帯３１の原点位置をオフセットさせた目盛位置で、目盛帯３１を目盛帯固定部１３に固定する。これにより、目盛読み取り位置Ｍで測定値を読み取るだけでハンドル６の先端位置Ｐ３までの距離を得ることができる。したがって、使用者は、引き出したハンドル６の先端部分（先端位置Ｐ３）を測定対象Ｃ（たとえば被検者Ｓ）に接触させて読取位置標識部６３に示された測定値を読み取ればよいので、距離測定をさらに容易化することができる。
【００４７】
また、本実施形態では、上記のように、目盛帯固定部１３の配置位置Ｐ２と焦点位置Ｐ１との間の距離Ｄａ分だけ目盛帯３１の原点位置を焦点位置Ｐ１側にオフセットさせた目盛位置で、目盛帯３１を目盛帯固定部１３に固定する。これにより、目盛帯固定部１３と焦点位置Ｐ１との間の距離Ｄａ分を測定値に加算する計算を行うことなく、Ｘ線管１１の焦点位置Ｐ１から測定対象Ｃ（被検者やＸ線検出器）までの距離を直接測定することができる。また、目盛帯固定部１３が固定する目盛位置を目盛帯固定部１３と焦点位置Ｐ１との間の距離Ｄａに応じてずらすだけで、Ｘ線撮影装置１００の複数のバリエーションにも対応することができる。
【００４８】
また、本実施形態では、上記のように、目盛帯３１を挟み込む一対の挟持部材１３ａと、挟持部材１３ａを締結する締結部材１３ｂとにより目盛帯固定部１３を構成する。これにより、簡単な構成で目盛帯３１を固定することができるとともに、固定を解除して目盛帯３１の固定箇所（目盛帯固定部１３が固定する目盛位置）を調整することも容易に行なうことができる。
【００４９】
なお、今回開示された実施形態は、すべての点で例示であって制限的なものではないと考えられるべきである。本発明の範囲は、上記した実施形態の説明ではなく請求の範囲によって示され、さらに請求の範囲と均等の意味および範囲内でのすべての変更が含まれる。
【００５０】
たとえば、上記実施形態では、撮影対象が人（被検者）である例を示したが、本発明はこれに限られない。本発明は、撮影対象は、人以外の生物のＸ線画像を撮影するＸ線撮影装置に適用してもよい。
【００５１】
また、上記実施形態では、横臥されている被検者を撮影する例を示したが、本発明はこれに限られない。本発明は、起きている状態（立位）の被検者を撮影する構成のＸ線撮影装置に適用してもよい。
【００５２】
また、上記実施形態では、コリメータ１２の外部（筐体１２ａの外側面）に巻尺３を取り付けた例を示したが、本発明はこれに限られない。本発明では、巻尺３をコリメータ１２（筐体１２ａ）に内蔵させてもよい。
【００５３】
具体的には、図６に示す変形例のように、巻尺３をコリメータ１１２の筐体１１２ａの内側面に取り付けるとともに、コリメータ１１２の開口部１２ｂが形成された前面部に、目盛帯３１を通過させる孔部１２０および１３０を設ける。本体部３２から孔部１２０を通過させてＡ方向に引き出された目盛帯３１は、Ｂ方向に折り返された後、孔部１３０を通過して筐体１１２ａ内の目盛帯固定部１１３に固定されている。一方、巻取り機構（図６では図示を省略する）を含む本体部３２は、筐体１１２ａの内側面側の本体固定部１１４において固定されている。このような構成により、巻尺３がコリメータ１１２（筐体１１２ａ）内に内蔵される。距離Ｄ１、Ｄ２、Ｄ３を測定する際には、Ｘ線の照射軸に近いほど測定精度を向上させることができるので、Ｘ線の出射口である開口部１２ｂの近傍の位置から目盛帯３１を引き出すことにより、容易に測定精度を高めることができる。なお、筐体１１２ａの前面部において凹状部分をさらに形成して、ハンドル６を凹状部分に収納できるようにしてもよい。
【００５４】
この他、本発明では、Ｘ線管に巻尺を取り付けてもよいし、コリメータとＸ線管とを含む照射部全体を覆うカバーを設けて、このカバーに巻尺を設けてもよい。
【００５５】
また、上記実施形態では、挟持部材１３ａと締結部材１３ｂとにより目盛帯固定部１３を構成した例を示したが、本発明はこれに限られない。本発明では、目盛帯固定部は別の構造であってもよい。たとえば、目盛帯に貫通孔を開けて、ねじ孔を有する目盛帯固定部にねじ止めしたり、リベット固定したりしてもよい。
【００５６】
また、上記実施形態では、挿通係合部の一例としての貫通孔からなる挿通係合孔部６１をハンドル６に形成した例を示したが、本発明はこれに限られない。本発明の挿通係合部は、貫通孔ではなく、切り欠きであってもよい。たとえば、ハンドル６の一端部側に挿通係合孔部６１とつながるようにスリットを形成することにより、切り欠き状の挿通係合部を形成してもよい。ハンドル６と目盛帯３１との係合は、目盛帯３１を挿通係合孔部６１に挿通する以外に、ハンドル６に柱状の係合部を形成して柱状の係合部を折返し部分３３に係合させるような構造であってもよい。
【００５７】
また、上記実施形態では、指挿入部の一例としての貫通孔からなる指挿入孔部６４をハンドル６の把持部分６２に形成した例を示したが、本発明はこれに限られない。本発明では、貫通孔からなる指挿入孔部６４に代えて、指を挿入する（非貫通の）凹部からなる指挿入部を設けてもよい。また、たとえば板状の把持部分を形成して、使用者が板状の把持部分を摘んで把持するようにしてもよい。なお、ハンドルに把持部分を形成しなくともよい。
【００５８】
また、上記実施形態では、目盛読み取り位置Ｍとハンドル６の先端位置Ｐ３との間の距離Ｄｂ分だけ目盛帯３１の原点位置をオフセットさせた状態で目盛帯３１を固定した例を示したが、本発明はこれに限られない。本発明では、距離Ｄｂ分だけオフセットさせなくともよい。
【００５９】
また、上記実施形態では、目盛帯固定部１３の配置位置Ｐ２と焦点位置Ｐ１との間の距離Ｄａ分だけ目盛帯３１の原点位置を焦点位置Ｐ１側にオフセットさせた状態で目盛帯３１を固定した例を示したが、本発明はこれに限られない。本発明では、距離Ｄａ分だけオフセットさせなくともよい。
【００６０】
また、上記実施形態では、巻尺３の本体部３２を本体固定部１４に固定的に取り付け、これによって巻取り機構３２ｂを本体固定部１４に固定した例を示したが、本発明はこれに限られない。本体固定部は、巻取り機構（本体部）を完全に固着する他、巻取り機構（本体部）を着脱可能に固定してもよい。本体固定部は、巻取り機構（本体部）を一時的または永続的に固定可能な機構であればどのような構成であってもよい。たとえば、コリメータ１２にケース形状のブラケットを設け、このブラケットに巻尺３の本体部３２を収容したり、取り出したりできるようにしてもよい。また、単純に、巻取り機構３２ｂ（本体部３２）をねじ止め、溶接その他の固定手段により固定してもよい。
【符号の説明】
【００６１】
１  照射部
３  巻尺
６  ハンドル（折返部材）
１１  Ｘ線管
１２  コリメータ
１３、１１３  目盛帯固定部
１３ａ  挟持部材
１３ｂ  締結部材
１４、１１４  本体固定部（巻取り機構固定部）
３１  目盛帯
３２ｂ  巻取り機構
３３  折返し部分
６１  挿通係合孔部（挿通係合部）
６２  把持部分
６３  読取位置標識部
６４  指挿入孔部（指挿入部）
１００  Ｘ線撮影装置
Ｐ１  焦点位置
Ｐ２  目盛帯固定部の配置位置
Ｐ３  ハンドルの先端位置
Ａ  引き出し方向
Ｂ  逆方向
【図１】
0006052429.tif 000002
【図２】
0006052429.tif 000003
【図３】
0006052429.tif 000004
【図４】
0006052429.tif 000005
【図５】
0006052429.tif 000006
【図６】
0006052429.tif 000007